(57)【要約】      （修正有）【課題】スマートフォン等を用いて生体情報の計測、管理を行う構成において、装置全体を小型化、軽量化することのできる生体情報取得装置を提供する。【解決手段】生体情報取得装置１０は、所定の生体情報を計測するセンサ部１１と、センサ部で計測された値を所定のサンプリング周期でサンプリングするプロセッサ１２と、所定の携帯機器と接続するためのケーブルに適合するコネクタ部を備えた通信インタフェース部１３と、を備える。生体情報取得装置は、ケーブルに含まれる給電線を介して所定の携帯機器から供給される電力により作動し、所定の携帯機器に対しサンプリング後の値を送信する。【選択図】図１
2019180608.tif 000002
【特許請求の範囲】
【請求項１】
所定の生体情報を計測するセンサ部と、
前記センサ部で計測された値を所定のサンプリング周期でサンプリングするプロセッサと、
所定の携帯機器と接続するためのケーブルに適合するコネクタ部を備えた通信インタフェース部と、を備え、
前記ケーブルに含まれる給電線を介して前記所定の携帯機器から供給される電力により作動し、前記所定の携帯機器に対し前記サンプリング後の値を送信すること、
を特徴とする生体情報取得装置。
【請求項２】
前記所定の携帯機器から供給される電力により、少なくとも前記センサ部及び前記プロセッサにおける処理が行われる請求項１の生体情報取得装置。
【請求項３】
前記所定の携帯機器で動作するアプリケーションプログラムからの指示に応じて、前記所定の生体情報の値の計測と、前記所定の携帯機器への前記計測した値の送信と、を行う請求項１又は２の生体情報取得装置。
【請求項４】
前記センサ部は、手動又は自動で加減圧されるカフと接続可能な圧力ポートを備えた圧力センサであり、
前記通信インタフェース部を介して、前記カフを減圧操作中の血圧値を送信する請求項１から３いずれか一の生体情報取得装置。
【請求項５】
前記センサ部は、心電図測定用の電極を接続可能なコネクタを含み、
前記プロセッサは、前記電極から入力された電気信号から心電波形データを生成し、
通信インタフェース部を介して、前記所定の携帯機器に対し、前記心電波形データを送信する請求項１から３いずれか一の生体情報取得装置。
【請求項６】
さらに、
少なくとも前記センサ部と、前記プロセッサとに電力を供給する予備電源を備える請求項１から５いずれか一の生体情報取得装置。
【請求項７】
所定の携帯機器上で動作するアプリケーションプログラムであって、
前記所定の携帯機器に、
請求項１から５いずれか一の生体情報取得装置に対する計測指示を送信させ、
前記生体情報取得装置から受信したデータについて所定の情報処理を行わせるアプリケーションプログラム。
【請求項８】
前記所定の携帯機器上で動作するアプリケーションプログラムであって、
請求項４の生体情報取得装置から受信したデータを用いて、オシロメトリック法による血圧測定を行い、
少なくとも最高血圧を判定した際に、前記所定の携帯機器に、所定の擬似コロトコフ音を出力させる
アプリケーションプログラム。
【請求項９】
所定の生体情報を計測するセンサ部と、
前記センサ部で計測された値を所定のサンプリング周期でサンプリングするプロセッサと、
所定の携帯機器と接続するためのケーブルに適合するコネクタ部を備えた通信インタフェース部と、を備えた生体情報取得装置が、
前記ケーブルに含まれる給電線を介して前記所定の携帯機器から電力の供給を受けるステップと、
前記供給された電力により前記センサ部が所定の生体情報を計測するステップと、
前記所定の携帯機器から供給される電力により前記センサ部で計測された値を所定のサンプリング周期でサンプリングするステップと、
前記ケーブルを介して、前記サンプリング後の値を前記所定の携帯機器に送信するステップと、
を含む生体情報取得方法。
【発明の詳細な説明】
【技術分野】
【０００１】
本発明は、生体情報取得装置、アプリケーションプログラム及び生体情報取得方法に関し、特に、携帯機器と連携動作する生体情報取得装置、アプリケーションプログラム及び生体情報取得方法に関する。
【背景技術】
【０００２】
特許文献１−３に、計測機器とスマートフォン等とを組み合わせた構成が開示されている。特許文献１には、スマートフォンやスマートウォッチ等の、独立して分離された機器によって検出された生体信号を分析するという生体信号分析装置の一例が開示されている。同文献によると、被検体の第１生体信号を検出した機器から第１生体信号を伝送される通信部と、被検体から第２生体信号を検出する少なくとも１つの生体信号検出部と、を含む。そして、この生体信号分析装置は、前記第１生体信号及び第２生体信号を利用して、生体情報を取得する、と記載されている。
【０００３】
特許文献２に、生体情報を計測する生体情報計測装置を携帯電話とを任意に組み合わせ可能とし、複数種類の生体情報計測装置で１台の携帯電話を共用可能とする構成が開示されている。同文献によると、この生体情報計測装置は、血圧を計測する計測手段１１と、携帯電話２に付設された機器通信用のインタフェース２２との間で双方向通信が可能であるインタフェース１２とを備える。また、同文献にはこの生体情報計測装置１での計測に関する操作に携帯電話２の操作部２４を用いる機能と生体情報計測装置１での計測に関する表示に携帯電話２の表示部２３を用いる機能に言及がなされている。これらの機能は、携帯電話２のメモリ２５にアプリケーションとして別途に設定されるプログラムにより携帯電話２に付加される、と記載されている。
【０００４】
特許文献３には、任意の測定項目を選んで測定し、携帯電話を媒体として医療機関に送信して専門医師の予診を受けることができるという生体リスク管理用アダプターが開示されている。同文献によると、この生体リスク管理用アダプターは、装置本体と各種オプションの測定器とから構成される。装置本体は、心電・心拍測定部、表示部、データ処理部、測定器を接続する外部入力端子、モデム部、デジタル出力端子６、アナログ出力端子７とから構成される。測定器類は、各々の出力用のプローブを有するＫＳＧ血圧測定器、体温測定器、動脈血酸素飽和度測定器、尿成分測定器、潜血反応測定器とから構成されている。なお、ＫＳＧは、コロトコフ・サウンド・グラフの略である。
【先行技術文献】
【特許文献】
【０００５】
【特許文献１】特開２０１７−１８５９５号公報
【特許文献２】特開２００４−１４７７０５号公報
【特許文献３】特開平１１−１７８８０１号公報
【発明の概要】
【発明が解決しようとする課題】
【０００６】
以下の分析は、本発明によって与えられたものである。上記特許文献１−３の構成では、測定装置として測定装置単体で機能する装置を用いている。こうした測定装置には、操作部、表示部、その他測定項目に応じた機械要素が備えられている（特許文献２の測定手段１１、特許文献３の図３、図５−８参照）。また、特許文献１−３では明示されていないが、外出先などで計測を行うには、これらの機器に電力を供給するバッテリーやその充電のための構成も必要となる。このため、測定装置本体が大きくなり、重量も増加するため、携行性が損なわれてしまうという問題点がある。測定装置としてスマートウォッチ等を用いる場合にもこれらの装置が測定時に機能するようにこまめな充電が必要となってしまう。
【０００７】
本発明は、スマートフォン等を用いて生体情報の計測と管理を行う構成において、装置全体の小型化、軽量化に貢献できる生体情報取得装置、アプリケーションプログラム及び生体情報取得方法を提供することを目的とする。
【課題を解決するための手段】
【０００８】
第１の視点によれば、所定の生体情報を計測するセンサ部と、前記センサ部で計測された値を所定のサンプリング周期でサンプリングするプロセッサと、所定の携帯機器と接続するためのケーブルに適合するコネクタ部を備えた通信インタフェース部と、を備え、前記ケーブルに含まれる給電線を介して前記所定の携帯機器から供給される電力により作動し、前記所定の携帯機器に対し前記サンプリング後の値を送信する生体情報取得装置が提供される。
【０００９】
第２の視点によれば、所定の携帯機器上で動作するアプリケーションプログラムであって、前記所定の携帯機器に、上記した生体情報取得装置に対する計測指示を送信させ、前記生体情報取得装置から受信したデータについて所定の情報処理を行わせるアプリケーションプログラムが提供される。
【００１０】
第３の視点によれば、所定の生体情報を計測するセンサ部と、前記センサ部で計測された値を所定のサンプリング周期でサンプリングするプロセッサと、所定の携帯機器と接続するためのケーブルに適合するコネクタ部を備えた通信インタフェース部と、を備えた生体情報取得装置が、前記ケーブルに含まれる給電線を介して前記所定の携帯機器から電力の供給を受けるステップと、前記供給された電力により前記センサ部が所定の生体情報を計測するステップと、前記所定の携帯機器から供給される電力により前記センサ部で計測された値を所定のサンプリング周期でサンプリングするステップと、前記ケーブルを介して、前記サンプリング後の値を前記所定の携帯機器に送信するステップと、を含む生体情報取得方法が提供される。
【発明の効果】
【００１１】
本発明によれば、スマートフォン等を用いて生体情報の計測と管理を行う構成において、装置全体を小型化、軽量化することが可能となる。
【図面の簡単な説明】
【００１２】
【図１】本発明の一実施形態の構成を示す図である。
【図２】本発明の第１の実施形態の構成を示す図である。
【図３】本発明の第１の実施形態の生体情報取得装置の詳細構成を示す図である。
【図４】本発明の第１の実施形態の生体情報取得装置による測定動作の一例を示すシーケンス図である。
【図５】オシロメトリック法による血圧値の測定を説明するための図である。
【図６】本発明の第２の実施形態の構成を示す図である。
【図７】本発明の第２の実施形態の生体情報取得装置の詳細構成を示す図である。
【図８】本発明の第３の実施形態の構成を示す図である。
【図９】本発明の第３の実施形態の生体情報取得装置の詳細構成を示す図である。
【発明を実施するための形態】
【００１３】
はじめに本発明の一実施形態の概要について図面を参照して説明する。本発明は、その一実施形態において、図１に示すように、所定の生体情報を計測するセンサ部１１と、前記センサ部１１で計測された値（アナログ値）を所定のサンプリング周期でサンプリングしてデジタル値に変換するプロセッサ１２と、所定の携帯機器と接続するためのケーブルに適合するコネクタ部を備えた通信インタフェース部１３と、を備える生体情報取得装置が提供される。そして、この生体情報取得装置は、前記ケーブルに含まれる給電線を介して前記所定の携帯機器から供給される電力により作動し、前記所定の携帯機器に対し前記サンプリングした値を送信する。なお、図１中の破線ＰＬが電源線を表している。
【００１４】
上記のような生体情報取得装置１０によれば、携帯機器に接続するだけで、各種の生体情報を取得（センシング）し、携帯機器側に送信できる構成が得られる。例えば、上記センサ部１１として圧力センサを搭載した場合、その圧力ポートにカフ（マンシェット）からの圧を導くことで、プロセッサ１２が圧力値のサンプリング（デジタル化）を実施することができる。そして、この生体情報取得装置１０は、通信インタフェース部１３を介して、上記した処理で得られた生体情報データを所定の携帯機器に送信する。例えば、所定の携帯機器において、オシロメトリック法による血圧測定プログラムを動作させることで、血圧値の測定を行うことが可能となる。
【００１５】
［第１の実施形態］
続いて、携帯機器としてスマートフォンを用いて血圧測定を実施可能な本発明の第１の実施形態について図面を参照して詳細に説明する。図２は、本発明の第１の実施形態の構成を示す図である。
【００１６】
図２を参照すると、携帯機器２００にケーブル２１０を介して接続された生体情報取得装置１００が示されている。また、この生体情報取得装置１００は、ポンプ５００とバルブ５１０により加減圧可能なカフ３００と接続可能となっている。
【００１７】
携帯機器２００は、スマートフォン、タブレット端末やパーソナルコンピュータなどの機器である。また、携帯機器２００は、後記する各種の測定項目に応じたアプリケーションプログラムをダウンロードしてインストール可能となっている。このアプリケーションプログラムの動作については、後に生体情報取得装置１００の動作とともに説明する。
【００１８】
また、携帯機器２００と生体情報取得装置１００とを接続するケーブル２１０としては、ｍｉｃｒｏ−ＵＳＢ（Ｕｎｉｖｅｒｓａｌ  Ｓｅｒｉａｌ  Ｂｕｓ）に代表されるＵＳＢケーブルやＡｐｐｌｅ（登録商標）社の機器で採用されているライトニングケーブル（「Ｌｉｇｈｔｎｉｎｇ」は登録商標）を好適に用いることができる。もちろん、これらのケーブルはあくまでその一例を示したものであり、携帯機器２００と生体情報取得装置１００間の通信と、携帯機器２００から生体情報取得装置１００への電力の供給が可能な規格であれば特に限定されるものではない。
【００１９】
カフ３００は、本実施形態では、被測定者の腕に巻くタイプのものを用いるものとして説明するが、被測定者の指に巻いて使用する指カフなどを用いてもよい。また、以下の説明における「ユーザ」は被測定者自身であってもよいし、医師や医療従事者などの別の測定を実施する者であってもよい。
【００２０】
図３は、本発明の第１の実施形態の生体情報取得装置の詳細構成を示す図である。図３を参照すると、カフ３００から延びた連通管（チューブ）を接続するための圧力ポート１１１を備えた圧力センサ１１０と、ＡＤ変換部１２０と、通信インタフェース部１３０とを備えた構成が示されている。
【００２１】
圧力センサ１１０としては、半導体の圧電効果（ピエゾ効果とも言う）を利用した半導体圧力センサを好適に用いることができる。
【００２２】
ＡＤ変換部１２０は、圧力センサ１１０から出力された圧力値をデジタル信号に変換して通信インタフェース部１３０側に出力する。ＡＤ変換部１２０は、所定のサンプリングレートで圧力値のサンプリングを行った後、量子化、符号化を行って、圧力値を表すシリアル信号を出力する。このようなＡＤ変換部１２０は、サンプリングを含むＡＤ変換処理を実行可能な各種のマイクロプロセッサにより構成できる。なお、ＡＤ変換部１２０におけるサンプリングレートは、脈派による血圧測定に必要なレートのほか、電力の消費量とのバランスで決定すればよい。
【００２３】
通信インタフェース部１３０は、上記携帯機器２００と接続するためのケーブル２１０にコネクタに適合するコネクタ部１３１を備える。通信インタフェース部１３０は、携帯機器２００側にデータ送信するために、ＡＤ変換部１２０から出力されたシリアル信号を携帯機器２００と生体情報取得装置１００の間の通信インタフェースに適合する信号（例えば、ＵＳＢ信号）に変換する機能を備えている。
【００２４】
また、図３中の破線ＰＬは電源線である。通信インタフェース部１３０のコネクタ部１３１を介して、携帯機器２００と生体情報取得装置１００とが接続されると、ケーブル２１０中の電源ラインを介して送られた電力は、通信インタフェース部１３０と、ＡＤ変換部１２０と、圧力センサ１１０とに供給される。これにより、生体情報取得装置１００は、バッテリー無しで作動することが可能となっている。もちろん、生体情報取得装置１００内に、充電式の電池を配置して、測定日時を保持させたり、前記プロセッサとに電力を供給する予備電源として機能させたりしてもよい。このような予備電源を備えた構成は、消費電力が大きいセンサを用いている場合に特に好適に採用される。
【００２５】
また、充電容量の大きい充電式の電池を採用し、生体情報取得装置１００自体にモバイルバッテリー等の機能を持たせてもよい。なお、図３の例では省略しているが、電流又は電圧用の保護回路を追加してもよいことはもちろんである。
【００２６】
生体情報取得装置１００を、カフ３００及び携帯機器２００と接続することで、間接式（非観血式）の血圧計が構成される。続いて、本実施形態の動作について図面を参照して詳細に説明する。
【００２７】
図４は、本発明の第１の実施形態の生体情報取得装置１００による測定動作の一例を示すシーケンス図である。図４を参照すると、まず、携帯機器２００と、生体情報取得装置１００とをケーブル２１０を用いて接続する。これにより、携帯機器２００から生体情報取得装置１００側に電力の供給が開始される（ステップＳ００１）。
【００２８】
次に、携帯機器２００において、予めインストールしておいた血圧測定アプリケーションプログラム（以下、「血圧測定アプリ」という）を起動する（ステップＳ００２）。
【００２９】
次に、携帯機器２００は、起動した血圧測定アプリの機能により、ユーザに血圧の測定準備を案内するためのガイダンス情報を出力する（ステップＳ００３）。例えば、携帯機器２００は、ガイダンス情報として、カフ３００から伸びた連通管（チューブ）を圧力センサの圧力ポートに装着するよう指示するメッセージを出力する。また、ガイダンス情報として、以降の血圧測定の手順を出力してもよい。また、このガイダンス情報の出力形態は、文字であっても音声であってもよい。例えば、携帯機器２００に備えられた表示装置にテキストメッセージとしてガイダンス情報を出力してもよい。また例えば、携帯機器２００に備えられたスピーカーからガイダンス情報を出力してもよい。
【００３０】
ユーザが、チューブを圧力センサの（圧力）ポートに接続し（ステップＳ００４）、ポンプ５００にてカフ３００に空気を送り込み、所定の測定開始圧に達すると（ステップＳ００５）、測定の準備が完了する。なお、カフ３００の圧が所定の測定開始圧に達したことをユーザに伝えるため、図４のステップＳ００６−１に示すように、携帯機器２００の表示部等に、現時点での圧力値を表示させてもよい。
【００３１】
携帯機器２００は、ユーザからの測定開始操作を受けると（ステップＳ００７）、生体情報取得装置１００に対し、データの送信を要求する。以降、生体情報取得装置１００から、圧力値データが送信される（ステップＳ００６−２）。
【００３２】
一方で、ユーザがバルブ５１０の解放操作を行うと、カフ３００内の空気が所定の速度で抜け始める（ステップＳ００８）。ここでの減圧の速度は、例えば、１拍動につき２ｍｍＨｇ下げる程度の速度であることが好ましい。
【００３３】
以降、生体情報取得装置１００は、携帯機器２００に対して、所定のサンプリングレートでサンプリングした値を送信する。携帯機器２００上で動作する血圧測定アプリは、前記サンプリングした値から図５に示す脈波振幅を取り出して血圧の測定を行う（ステップＳ００９）。
【００３４】
ここで、血圧測定アプリによる血圧測定の原理について説明する。図５は、オシロメトリック法による血圧値の測定を説明するための図である。図５のカフ圧は、ステップＳ００５による加圧後のカフ圧を示している。バルブの解放操作を行うと、カフ３００内の圧力が減少し、生体情報取得装置１００から携帯機器２００に送信される圧力値も減少していく。図５の下段の脈波振幅は、上記カフ圧の現象過程で現れる圧脈波の振幅を表している。この圧脈波の振幅が急激に大きくなったときが、コロトコフ法におけるｋ音発生のタイミングに相当し、そのときのカフ圧を「最高血圧（収縮期血圧）」として判定することができる。そして、圧脈波の振幅が、急激に小さくなったときが、コロトコフ法におけるｋ音消失のタイミングに相当し、そのときのカフ圧を「最低血圧（拡張期血圧）」と判定することができる。
【００３５】
なお、より望ましい形態において、血圧測定アプリが、最高血圧（収縮期血圧）を検出した際に、擬似的なｋ音を携帯機器２００のスピーカーなどから出力させてもよい。また、最高血圧（収縮期血圧）の検出後、なんらかの音を出力させ続け、最低血圧（拡張期血圧）を検出した時点で、音の出力を停止することも好ましい。これらにより、測定が正しく終わったことをユーザに効果的に伝えることが可能となる。
【００３６】
携帯機器２００上で動作する血圧測定アプリは、携帯機器の表示装置等に、上記最高血圧と最低血圧を含む血圧測定結果を表示する（ステップＳ０１０）。血圧測定アプリは、測定結果に応じて、被測定者に対する生活習慣病の予防のためのアドバイスなどを出力してもよい。また、血圧測定アプリにて、測定値をクラウド側に送信し、クラウド側で健康管理データとして管理したり、匿名の統計データの１つとして管理してもよい。
【００３７】
なお、上記手順において、血圧測定アプリは、血圧値が所定のレベルまで低下、又は、脈派が一定期間定常状態にとなる、のいずれかを条件に計測終了と判定してもよい。また、上記の過程で、圧が再上昇した場合、血圧測定アプリは、リセット操作がなされたものとみなしてリセット処理を行い、再び圧が落ち出した時点で計測を開始してもよい。
【００３８】
なお、図４に示した手順はあくまでその一例を示したものに過ぎず、各種の変形を実施することが可能である。例えば、図４の例では、携帯機器２００と、生体情報取得装置１００とを接続した後に、血圧測定アプリを起動するものとして説明したが、血圧測定アプリを起動した後に、携帯機器２００と、生体情報取得装置１００とを接続するようにしてもよい。
【００３９】
以上、説明したように、本実施形態によれば、スマートフォンに代表される携帯機器とカフ３００側の機材とを好適に組み合わせて、簡易的な血圧計を構成することが可能となる。また、図３に示した構成からも明らかなとおり、本実施形態の生体情報取得装置１００は、例えば、圧力センサと、汎用のプロセッサと、ＵＳＢシリアル変換モジュールにより構成することができる。従って、本実施形態の生体情報取得装置１００は、既存の専用機器と比較して、コスト上の有利性がある。
【００４０】
また、上記した説明からも明らかなように、生体情報取得装置１００を用いて構成された血圧計は、カフ３００と送気球を用いる構成の場合、携帯機器からの供給される電力のみで動作可能である。スマートフォンに代表される携帯機器２００は、商用電源や車載ＵＳＢポートのほか、ＰＣやモバイルバッテリーなどからも充電できるので、生体情報取得装置１００の電源の問題から解放されることになる。また、カフ３００についても、手指用のカフなどを用いることで、より携行性を向上させることが可能となる。
【００４１】
［第２の実施形態］
続いて、上記カフ３００の加圧を自動化した本発明の第２の実施形態について図面を参照して詳細に説明する。図６は、本発明の第２の実施形態の構成を示す図である。図６に示すとおり、第１の実施形態との相違点はカフ３００を加圧するポンプ５００にモーター６００が取り付けられており、カフ３００の加圧操作が自動化されている点である。
【００４２】
また、このモーター６００は、生体情報取得装置１００ａの給電ポート１１５からの電源供給を受けて動作可能となっている。
【００４３】
図７は、本発明の第２の実施形態の生体情報取得装置の詳細構成を示す図である。図３に示した生体情報取得装置１００との相違点は、生体情報取得装置１００ａが給電ポート１１５を備えている点である。
【００４４】
給電ポート１１５は、携帯機器２００からの電力をＡＤ変換部１２０及び圧力センサ１１０に供給する電源線ＰＬと接続されており、モーター６００側の電源プラグ６１０を差し込むことで、モーター６００側に電力を供給可能となっている。
【００４５】
本実施形態の動作は、図４のステップＳ００１においてモーター６００側の電源プラグ６１０を、給電ポート１１５に差し込む動作が追加される。また、本実施形態では、図４のステップＳ００５において、モーター６００によるカフ加圧が行われる。その他は、第１の実施形態と同様であるので、説明を省略する。
【００４６】
本実施形態によれば、自動でカフ加圧を行うことが可能となる。なお、血圧測定アプリ又は血圧測定アプリから指示を受けた生体情報取得装置１００ａが、このモーター６００によるカフ加圧やバルブ５１０の開閉を制御するようにしてもよい。このようにすることで、血圧測定を自動化することが可能となる。
【００４７】
［第３の実施形態］
上記した第１、第２の実施形態では、センサ部として、圧力センサを用いて血圧値を測定する例を挙げて説明したが、センサ部として、他の生体情報を取得するセンサを搭載することも可能である。図８は、本発明の第３の実施形態の構成を示す図である。図８に示すとおり、第１の実施形態との相違点は、カフ３００及びポンプ５００に代えて、心電図測定用の電極７００を接続し、心電計として動作可能となっている点である。
【００４８】
図９は、本実施形態の生体情報取得装置１００ｂの構成を示す図である。センサ部１１０ａは、心電図測定用の電極７００を接続するためのケーブルを接続するコネクタなどによって構成されている。
【００４９】
また、心電波形データ変換部１２１は、電極７００から入力された生体信号（電気信号）の増幅、ノイズ除去を行った後、ＡＤ変換処理を行って、心電波形データを出力する。
【００５０】
従って、本実施形態の通信インタフェース部１３０は、心電波形データ変換部１２１から出力されたシリアル信号を、ＵＳＢ信号等の、携帯機器２００と生体情報取得装置１００ｂの間の通信インタフェースに適合する信号に変換する機能を備えている。
【００５１】
携帯機器２００には、心電波形表示アプリケーションプログラムがインストールされている。この心電波形表示アプリケーションプログラムが、携帯機器２００の表示装置上に、心電波形を表示する（図８参照）。
【００５２】
なお、本実施形態の生体情報取得装置１００ｂで作成可能な心電波形は、生体情報取得装置１００ｂに接続される電極７００の数や、心電波形表示アプリケーションプログラムの機能に依存する。ごく簡単には、本実施形態の生体情報取得装置１００ｂにより、正負の２電極を備えた携帯型の心電計を構成することができる。即ち、本実施形態の生体情報取得装置１００ｂは、日常生活の中で必要に応じて使用するイベント心電計として利用することができる。
【００５３】
以上、本発明の各実施形態を説明したが、本発明は、上記した実施形態に限定されるものではなく、本発明の基本的技術的思想を逸脱しない範囲で、更なる変形・置換・調整を加えることができる。例えば、各図面に示したネットワーク構成、各要素の構成、メッセージの表現形態は、本発明の理解を助けるための一例であり、これらの図面に示した構成に限定されるものではない。
【００５４】
例えば、上記した各実施形態では、携帯機器として、スマートフォンを用いる例を挙げて説明したが、給電機能があるその他の携帯機器を用いてもよい。
【００５５】
また例えば、上記した各実施形態では、本発明の生体情報取得装置を、携帯機器と組み合わせて、血圧計や心電計を構成する例を挙げて説明したが、本発明により構成可能な機器は、これらに限定されない。例えば、温度センサを接続して、携帯機器側のアプリケーションプログラムにて値を読み取る体温計を構成することもできる。また、心拍センサを接続すれば、同様に、心拍計を構成することが可能となる。
【００５６】
なお、上記の特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の開示の枠内において種々の開示要素（各請求項の各要素、各実施形態ないし実施例の各要素、各図面の各要素等を含む）の多様な組み合わせ、ないし選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【符号の説明】
【００５７】
１０、１００、１００ａ、１００ｂ  生体情報取得装置
１１、１１０ａ  センサ部
１２  プロセッサ
１３  通信インタフェース部
２００  携帯機器
２１０  ケーブル
３００  カフ（マンシェット）
５００  ポンプ
５１０  バルブ
１１０  圧力センサ
１１１  圧力ポート
１１５  給電ポート
１２０  ＡＤ変換部
１２１  心電波形データ変換部
１３０  通信インタフェース部
１３１  コネクタ部
６００  モータ
６１０  電源プラグ
７００  電極
【図１】
2019180608.tif 000003
【図２】
2019180608.tif 000004
【図３】
2019180608.tif 000005
【図４】
2019180608.tif 000006
【図５】
2019180608.tif 000007
【図６】
2019180608.tif 000008
【図７】
2019180608.tif 000009
【図８】
2019180608.tif 000010
【図９】
2019180608.tif 000011